(57)【要約】【課題】複数の情報掲載サイトに対し、店舗情報の登録及び変更の処理における店舗担当者の手間を低減する情報提供システムを提供する。【解決手段】本発明の情報提供システムは、店舗の店舗端末と、店舗情報登録管理センターの店舗情報登録管理サーバ及びデータ処理サーバと、店舗情報掲載サイトのサイトサーバとが接続されたシステムであり、店舗端末が入力される店舗の店舗情報を、店舗情報登録サーバへ送信し、店舗情報登録サーバが店舗情報データベースに対し、店舗情報と店舗識別情報とを対応して書き込み、データ処理サーバが複数の異なる店舗情報掲載サイトのサイトサーバの掲載形式に合わせ、店舗情報掲載サイト毎に店舗情報から掲載形式に対応するデータを抽出し、サイト連携用データを生成し、サイトサーバが、サイト連携用データで、店舗情報掲載サイトにアクセスしたユーザの情報端末に対して店舗情報を通知することを特徴とする。【選択図】図１
2013088857.tif 000002
【特許請求の範囲】
【請求項１】
店舗に設けられた店舗端末と、店舗情報登録管理センターに設けられた店舗情報登録管理サーバ及びデータ処理サーバと、店舗情報掲載サイトのサイトサーバとが情報通信網で接続された店舗情報提供システムであり、
前記店舗端末が、
店舗管理者が入力する店舗の店舗情報を、前記店舗情報登録サーバへ送信し、
前記店舗情報登録管理サーバが、
店舗情報データベースに対し、前記店舗情報と当該店舗情報の店舗を識別する店舗識別情報とを対応付けて書き込んで記憶させ、
前記データ処理サーバが、
複数の異なる店舗情報掲載サイトのサイトサーバの掲載形式に合わせ、前記店舗情報掲載サイト毎に、前記店舗情報から前記掲載形式に対応するデータを抽出し、サイト連携用データを生成し、
前記サイトサーバが、
前記サイト連携用データを、前記店舗情報掲載サイトにアクセスしたユーザの情報端末に対して前記店舗情報を通知する
ことを特徴とする情報提供システム。
【請求項２】
店舗に設けられた店舗端末と、店舗情報掲載サイトのサイトサーバとに対し、情報通信網で接続され、店舗情報掲載サイトに設けられた情報提供装置であり、
店舗の店舗情報と、当該店舗を識別する店舗識別情報とを対応付け記憶している店舗情報データベースと、
前記店舗端末から供給される店舗の店舗情報を、当該店舗の店舗識別情報と対応付け、前記店舗情報データベースに書き込む店舗情報登録管理サーバと、
複数の異なる前記店舗情報掲載サイトのサイトサーバの掲載形式に合わせ、前記店舗情報掲載サイト毎に、前記店舗情報から前記掲載形式に対応するデータを抽出し、サイト連携用データを生成するデータ処理サーバと
を備えることを特徴とする情報提供装置。
【請求項３】
前記店舗が発行するクーポンに関するクーポン情報と、当該店舗の前記店舗識別情報とを対応付けて記憶しているクーポン情報データベースをさらに有し、
前記店舗情報登録管理サーバが、前記店舗端末から供給される前記クーポン情報を、当該店舗の店舗識別情報と対応付け、クーポン情報データベースに書き込み、
前記データ処理サーバが、
前記サイト連携用データを生成する際、前記店舗情報毎に対応する前記店舗の前記クーポン情報が前記クーポン情報データベースに登録されているか否かを判定し、前記クーポン情報が登録されている場合、当該店舗の前記店舗識別情報を含むアクセス先データを前記サイト連携用データに付加し、前記店舗情報掲載サイトの前記サイトサーバに送信する
ことを特徴とする請求項２に記載の情報提供装置。
【請求項４】
当該ユーザが、前記情報端末の表示画面において、リンク先として表示している前記アクセス先データを、クリックすることにより、当該情報端末が、前記サイトサーバに対して当該アクセス先データを付加したリクエストデータを送信してアクセスした際、
前記データ処理サーバが、
前記リクエストデータを受信すると、前記アクセス先データから前記店舗識別情報を抽出し、当該店舗識別情報を前記クーポン情報データベースにおいて検索し、対応して記憶されているクーポン情報からクーポンデータを動的ウェブページとして生成し、前記情報端末に表示させる
ことを特徴とする請求項３に記載の情報提供装置。
【請求項５】
前記データ処理サーバが、
前記リクエストデータに付加された前記アクセス先データから前記店舗識別情報を抽出し、前記店舗毎にアクセスされた回数を積算することを特徴とする請求項４に記載の情報提供装置。
【請求項６】
前記リンク先として表示されている前記アクセス先データは、前記サイト連携用データに対応する店舗情報掲載サイトを識別するサイト識別情報を含んでいることを特徴とする請求項３から請求項５のいずれか一項に記載の情報提供装置。
【発明の詳細な説明】
【技術分野】
【０００１】
本発明は、企業及び店舗の情報を提供する情報提供システム及び情報提装置に関する。
【背景技術】
【０００２】
近年、コンピュータの普及により、インターネットなどの通信網を介してアクセス可能な情報提供サイトが開設され、このサイトにアクセスするユーザに対して様々な情報が提供されている（例えば、特許文献１参照）。
すなわち、ユーザは、コンピュータあるいは携帯情報端末などを用い、インターネットを利用してＷＷＷ（World Wide Web）サーバの各種サイトのホームページから必要あるいは興味のある情報を自由に取得することができる。このことから、各種企業及び店舗は、ユーザに対する情報提供手段として用いるため、各種サイトのＷＷＷサーバの管理者に所定の広告料を支払ってホームページに企業及び店舗を案内する広告表示を掲載している。
【０００３】
例えば、地図画像を用いる店舗情報掲載サイトにおいて、表示画面の地図画像に店舗位置を示すアイコンを表示し、そのアイコンをクリックすることにより、対象の店舗の店舗情報を表示画面に表示するサービスがある。
店舗の担当者は、自身の店舗の店舗情報を多くのユーザからのアクセスを期待し、複数の店舗情報掲載サイトの各々に、店舗情報の掲載処理を行う。
多くの店舗情報掲載サイトに店舗情報を掲載することにより、店舗がユーザからアクセスされる確率が高くなり、多くのユーザの目に付かせるという広告の機能を向上させることができる。
【先行技術文献】
【特許文献】
【０００４】
【特許文献１】特開２００６−１６３６３９号公報
【発明の概要】
【発明が解決しようとする課題】
【０００５】
しかしながら、店舗情報掲載サイトへの店舗情報を掲載する際、店舗情報を登録する掲載情報として登録するために、各店舗の担当者が個々に店舗情報掲載サイトにアクセスし、登録処理を行っている。
このため、複数の店舗情報掲載サイトに対して店舗情報を登録する場合、店舗が各店舗情報掲載サイトに店舗情報を登録するため、登録処理に手間がかかる。
また、店舗情報において、電話番号等が変わるなどの変更が生じた場合、店舗情報を掲載している全ての店舗情報掲載サイトにアクセスして、店舗情報の変更を行わなければならず、店舗情報の編集にも手間がかかっている。
【０００６】
本発明は、このような事情に鑑みてなされたもので、複数の店舗情報掲載サイトに対し、店舗情報の登録処理及び変更処理における店舗担当者の手間を低減することが可能な情報提供システム及び情報提供装置を提供することを目的とする。
【課題を解決するための手段】
【０００７】
本発明の情報提供システムは、店舗に設けられた店舗端末と、店舗情報登録管理センターに設けられた店舗情報登録管理サーバ及びデータ処理サーバと、店舗情報掲載サイトのサイトサーバとが情報通信網で接続された店舗情報提供システムであり、前記店舗端末が、店舗管理者が入力する店舗の店舗情報を、前記店舗情報登録サーバへ送信し、前記店舗情報登録管理サーバが、店舗情報データベースに対し、前記店舗情報と当該店舗情報の店舗を識別する店舗識別情報とを対応付けて書き込んで記憶させ、前記データ処理サーバが、複数の異なる店舗情報掲載サイトのサイトサーバの掲載形式に合わせ、前記店舗情報掲載サイト毎に、前記店舗情報から前記掲載形式に対応するデータを抽出し、サイト連携用データを生成し、前記サイトサーバが、前記サイト連携用データを、前記店舗情報掲載サイトにアクセスしたユーザの情報端末に対して前記店舗情報を通知することを特徴とする。
【０００８】
本発明の情報提供装置は、店舗に設けられた店舗端末と、店舗情報掲載サイトのサイトサーバとに対し、情報通信網で接続され、店舗情報掲載サイトに設けられた情報提供装置であり、店舗の店舗情報と、当該店舗を識別する店舗識別情報とを対応付け記憶している店舗情報データベースと、前記店舗端末から供給される店舗の店舗情報を、当該店舗の店舗識別情報と対応付け、前記店舗情報データベースに書き込む店舗情報登録管理サーバと、複数の異なる前記店舗情報掲載サイトのサイトサーバの掲載形式に合わせ、前記店舗情報掲載サイト毎に、前記店舗情報から前記掲載形式に対応するデータを抽出し、サイト連携用データを生成するデータ処理サーバとを備えることを特徴とする。
【０００９】
本発明の情報提供装置は、前記店舗が発行するクーポンに関するクーポン情報と、当該店舗の前記店舗識別情報とを対応付けて記憶しているクーポン情報データベースをさらに有し、前記店舗情報登録管理サーバが、前記店舗端末から供給される前記クーポン情報を、当該店舗の店舗識別情報と対応付け、クーポン情報データベースに書き込み、前記データ処理サーバが、前記サイト連携用データを生成する際、前記店舗情報毎に対応する前記店舗の前記クーポン情報が前記クーポン情報データベースに登録されているか否かを判定し、前記クーポン情報が登録されている場合、当該店舗の前記店舗識別情報を含むアクセス先データを前記サイト連携用データに付加し、前記店舗情報掲載サイトの前記サイトサーバに送信することを特徴とする。
【００１０】
本発明の情報提供装置は、当該ユーザが、前記情報端末の表示画面において、リンク先として表示している前記アクセス先データを、クリックすることにより、当該情報端末が、前記サイトサーバに対して当該アクセス先データを付加したリクエストデータを送信してアクセスした際、前記データ処理サーバが、前記リクエストデータを受信すると、前記アクセス先データから前記店舗識別情報を抽出し、当該店舗識別情報を前記クーポン情報データベースにおいて検索し、対応して記憶されているクーポン情報からクーポンデータを動的ウェブページとして生成し、前記情報端末に表示させることを特徴とする。
【００１１】
本発明の情報提供装置は、前記データ処理サーバが、前記リクエストデータに付加された前記アクセス先データから前記店舗識別情報を抽出し、前記店舗毎にアクセスされた回数を積算することを特徴とする。
【００１２】
本発明の情報提供装置は、前記リンク先として表示されている前記アクセス先データは、前記サイト連携用データに対応する店舗情報掲載サイトを識別するサイト識別情報を含んでいることを特徴とする。
【発明の効果】
【００１３】
この発明によれば、店舗端末から登録された店舗情報を、複数の情報掲載サイトに対し、それぞれの情報掲載サイトの掲載形式に対応するように、データ処理サーバが登録された店舗情報から、掲載形式に対応する情報を抽出して、情報掲載サイト毎のサイト連携用データを生成し、対応する情報掲載サイトに供給するため、従来のように、店舗の担当者が複数の情報掲載サイトをアクセスして、それぞれの情報掲載サイトに対して、店舗情報の登録処理及び変更処理を行う場合に比較し、店舗担当者の手間を低減することが可能となる。
【図面の簡単な説明】
【００１４】
【図１】この発明の第１の実施形態による情報提供システムの構成例を示すブロック図である。
【図２】ＩＤ／パスワードデータベース２０４−３及び店舗情報データベース２０４−４に記憶されているテーブルの構成を示す図である。
【図３】本実施形態による情報提供システムの動作例を示すシーケンス図である。
【図４】サイト連携用データを店舗情報掲載サイトＡ１０３ａに掲載した場合の表示画面を示す図である。
【図５】サイト連携用データを店舗情報掲載サイトＢ１０３ｂに掲載した場合の表示画面を示す図である。
【図６】この発明の第２の実施形態による情報提供システムの構成例を示す概略ブロック図である。
【図７】ＩＤ／パスワードデータベース２０４−３、店舗情報データベース２０４−４及びクーポン情報データベース２０４−５の各々に記憶されているテーブルの構成を示す図である。
【図８】本実施形態による情報提供システムの動作例を示すシーケンス図である。
【図９】サイト連携用データを店舗情報掲載サイトＡ１０３ａに掲載した場合の表示画面を示す図である。
【図１０】サイト連携用データを店舗情報掲載サイトＢ１０３ｂに掲載した場合の表示画面を示す図である。
【図１１】クーポン情報から生成された動的ウェブページであり、ユーザ端末の表示画面に表示されるクーポン画像の一例である。
【発明を実施するための形態】
【００１５】
＜第１の実施形態＞  
以下、図面を参照して、本発明の実施の形態について説明する。図１は、この発明の第１の実施形態による情報提供システムの構成例を示す概略ブロック図である。
この図１において、情報提供システムは、店舗グループ１０１ａ、１０１ｂ、…と、本社１０２と、店舗情報掲載サイトＡ１０３ａ、店舗情報掲載サイトＢ１０３ｂ、店舗情報登録管理センター１０４と、ユーザ１０５ａ、１０５ｂ、…との各々に設置されている装置により構成されている。
【００１６】
店舗グループ１０１ａは、管理店舗２００ａ、店舗２０１ａ及び２０２ａから構成されている。管理店舗２００ａには管理店舗端末２００ａ−１が設けられ、店舗２０１ａには店舗端末２０１ａ−１が設けられ、店舗２０２ａには店舗端末２０２ａ−１が設けられている。ここで、管理店舗端末２００ａ−１、店舗端末２０１ａ−１及び２０２ａ−１は、パーソナルコンピュータなどである。
また、管理店舗端末２００ａ−１、店舗端末２０１ａ−１及び２０２ａ−１は、インターネットを含む情報通信網Ｉにより相互に接続されている。
【００１７】
店舗端末２０１ａ−１は、店舗２０１ａの店舗担当者により操作され、店舗担当者が入力する店舗の店舗情報を、管理店舗２００ａに設けられている管理店舗端末２００ａ−１に対して出力する。店舗端末２０２ａ−１は、店舗２０２ａの店舗担当者により操作され、店舗担当者が入力する店舗の店舗情報を、管理店舗２００ａに設けられている管理店舗端末２００ａ−１に対して出力する。
また、管理店舗２００ａは、自身と、店舗２０１ａ及び２０２ａの店舗情報を一括して管理する店舗である。管理店舗２００ａの店舗担当者は、店舗情報登録管理センター１０４に対し、店舗グループ１０１ａ内の店舗の店舗情報を、管理店舗端末２００ａ−１を操作して一括して登録する。
【００１８】
店舗グループ１０１ｂは、管理店舗２００ｂ、店舗２０１ｂ、２０２ｂ及２０３ａから構成されている。管理店舗２００ｂには管理店舗端末２００ｂ−１が設けられ、店舗２０１ｂには店舗端末２０１ｂ−１が設けられ、店舗２０２ｂには店舗端末２０２ｂ−１が設けられ、店舗２０３ｂには店舗端末２０３ｂ−１が設けられている。ここで、管理店舗端末２００ａ−１、店舗端末２０１ｂ−１、２０２ｂ−１及び２０３ｂ−１は、パーソナルコンピュータなどである。
また、管理店舗端末２００ｂ−１、店舗端末２０１ｂ−１、２０２ｂ−１及び２０３ｂ−１は、インターネットを含む情報通信網Ｉにより相互に接続されている。
【００１９】
店舗端末２０１ｂ−１は、店舗２０１ｂの店舗担当者により操作され、店舗担当者が入力する店舗の店舗情報を、管理店舗２００ｂに設けられている管理店舗端末２００ｂ−１に対して出力する。店舗端末２０２ｂ−１は、店舗２０２ｂの店舗担当者により操作され、店舗担当者が入力する店舗の店舗情報を、管理店舗２００ｂに設けられている管理店舗端末２００ｂ−１に対して出力する。店舗端末２０３ｂ−１は、店舗２０３ｂの店舗担当者により操作され、店舗担当者が入力する店舗の店舗情報を、管理店舗２００ｂに設けられている管理店舗端末２００ｂ−１に対して出力する。
また、管理店舗２００ｂは、自身と、店舗２０１ｂ、２０２ｂ及び２０３ｂの店舗情報を一括して管理する店舗である。管理店舗２００ｂの店舗担当者は、店舗情報登録管理センター１０４に対し、店舗グループ１０１ａ内の店舗の店舗情報を、管理店舗端末２００ｂ−１を操作して一括して登録する。
【００２０】
本社１０２は、店舗情報登録管理センター１０５を運営する会社の本社であり、データ管理サーバ１０２−１が設けられている。
本社１０２の登録担当者は、管理店舗２００ａ及び２００ｂの店舗担当者から各管理店舗端末を介してデータ管理サーバ１０２−１へ送信されるアカウント情報と、各店舗（２０１ａ、２０２ａ）の店舗基本情報と、店舗情報を掲載したい店舗情報掲載サイトを示すサイト識別情報とを、データ管理サーバ１０２−１から、店舗情報登録管理センター１０４に対して送信する。ここで、アカウント情報とは、管理店舗端末から店舗情報登録管理センター１０４の店舗情報登録管理サーバ２０４−１に対してログインする際に用いる、この管理店舗端末が設置されている管理店舗のＩＤ及びパスワードである。
本社１０２の登録担当者は、各管理店舗に対して管理店舗コードを付加し、この管理店舗コードとＩＤ及びパスワードを店舗情報登録管理センター１０４に対し、データ管理サーバ１０２−１を用いて送信する。
また、本社１０２の登録担当者は、店舗基本情報に対して、店舗基本情報に対応するそれぞれの店舗に対して店舗コードを付加し、この店舗コードと店舗基本情報とを店舗情報登録管理センター１０４に対し、データ管理サーバ１０２−１を用いて送信する。
また、本社１０２の登録担当者が、管理店舗端末２００ａ−１により店舗情報登録管理センター１０４に対して直接にアクセスし、管理店舗２００ａ及び２００ｂの店舗担当者からのアカウント情報と、各店舗（２０１ａ、２０２ａ）の店舗基本情報と、店舗情報を掲載したい店舗情報掲載サイトを示すサイト識別情報とを、店舗情報データベース２０４−４に直接書き込んで登録したり、直接に編集や更新を行う構成としてもよい。
【００２１】
店舗情報登録管理センター１０４には、店舗情報掲載サイトＡ１０３ａ、店舗情報掲載サイトＢ１０３ｂ各々に対して提供するサイト連携用データを生成する情報提供装置２０４が設けられている。
情報提供装置２０４は、店舗情報登録管理サーバ２０４−１、データ処理サーバ２０４−２、ＩＤ／パスワードデータベース２０４−３、店舗情報データベース２０４−４を備えている。
【００２２】
次に、図２は、ＩＤ／パスワードデータベース２０４−３及び店舗情報データベース２０４−４に記憶されているテーブルの構成を示す図である。
また、図２（ａ）は、ＩＤ／パスワードデータベース２０４−３に記憶されている、管理店舗識別する管理店舗コードと、管理店舗コードの示す管理店舗に付与されているＩＤ及びパスワードとが対応付けて記憶されている管理店舗テーブルの構成を示す図である。
図２（ｂ）は、店舗情報データベース２０４−４に記憶されている、店舗を識別する店舗コード（店舗識別情報）と、この店舗コードの示す店舗の店舗情報と、この店舗を管理する管理店舗を識別する管理店舗コードと、この店舗の店舗情報を掲載する店舗情報掲載サイトを識別するサイト識別情報とが対応付けて記憶されている店舗情報テーブルの構成を示す図である。
ここで、店舗情報とは、店舗名、店舗住所、店舗のホームページのＵＲＬ（Uniform Resource Locator）、店舗へのアクセス、店舗電話番号、店舗ＦＡＸ（ファクシミリ）番号、営業時間、取り扱い品目、駐車場の有無、キャッチコピー（広告文書）などから構成されている。この店舗情報において、例えば店舗名、店舗住所、店舗のＵＲＬなどが店舗基本情報である。
【００２３】
店舗情報登録管理サーバ２０４−１は、データ管理サーバ１０２−１から供給されるアカウント情報を、同時に供給される管理店舗コードと対応付けて、図２（ａ）に示すＩＤ／パスワードデータベース２０４−３の管理店舗テーブルに書き込んで記憶させる。
また、店舗情報登録管理サーバ２０４−１は、データ管理サーバ１０２−１から供給される店舗コードと、店舗基本情報と、掲載する店舗情報携帯サイトを示すサイト識別情報を対応付けて、図２（ｂ）に示す店舗情報データベース２０４−４の店舗情報テーブルに書き込んで記憶させる。
また、店舗情報登録管理サーバ２０４−１は、管理店舗１０１ａの店舗担当者が管理店舗端末２００ａにより編集した店舗基本情報を、店舗情報データベース２０４−４の店舗情報テーブルに書き込んで記憶させる。すなわち、管理店舗の店舗担当者は、管理店舗端末２００ａ−１により、店舗情報登録管理サーバ２０１ａを介して、店舗情報データベース２０４−４における店舗情報テーブルの編集を行う。
【００２４】
ここで、店舗情報登録管理サーバ２０４−１は、店舗情報の編集の際、管理店舗端末２００ａ−１からアクセスされると、ＩＤ及びパスワードの入力画面を管理店舗端末２００ａ−１に送信する。
このとき、店舗情報登録管理サーバ２０４−１は、入力画面に店舗担当者が入力したＩＤ及びパスワードと、管理店舗端末２００ａ−１の設置されている管理店舗１０１ａの管理店舗コードと対応付けてＩＤ／パスワードデータベース２０４−３に記憶されているＩＤ及びパスワードとを比較し、一致した場合に編集処理を実行し、一方、一致しない場合、ＩＤ及びパスワードが異なっていることを示す通知の画像を、管理店舗端末２００ａ−１に対して送信する。
【００２５】
データ処理サーバ２０４−２は、店舗情報データベース２０４−４に記憶されている店舗毎に、店舗情報及び掲載サイト情報を読み出し、予め掲載サイト情報毎に設定されている掲載形式（フォーマット）に対応するデータ構成に、店舗情報データベース２０４−４に記憶されている店舗情報の変更を行い、サイト連携用データを、例えばＣＳＶ（Ｃｏｍｍａ  Ｓｅｐａｒａｔｅｄ  Ｖａｌｕｅ）形式で生成する。
すなわち、データ処理サーバ２０４−２は、店舗情報掲載サイトの各々が提供する掲載形式に対応した項目の情報を店舗情報から抽出し、各店舗情報掲載サイトに提供するサイト連携用データを生成する。
データ処理サーバ２０４−２は、生成した各店舗のサイト連携用データを、このサイト連携用データの元となる店舗情報に対応する店舗を示す店舗コードと、この店舗を管理する管理店舗の管理店舗コードと、この店舗の店舗情報を掲載する店舗情報掲載サイト（連携用データを生成する際の掲載サイト情報に対応する）のサイト識別情報とともに、サイト連携用データ記憶部２０４−６に書き込んで記憶する。
なお、サイト連携用データの生成は、以前に作成され、サイト連携用データ記憶部２０４＿６に記憶されているサイト連携用データを更新する処理も含むものとする。
サイト連携用データは、例えば各店舗情報に対応する店舗を示す店舗コードと、店舗を管理する管理店舗の管理店舗コードとを含み、各店舗情報掲載サイトごとに生成することができる。各店舗情報掲載サイトのサイトサーバは、店舗情報登録管理センター１０４をアクセスすることにより、一括して自身に掲載予定の各店舗の店舗情報を、サイト連携用データ記憶部２０４−６から得ることができる。
また、データ処理サーバ２０４−２は、サイト連携用データを店舗ごとに生成し、生成した各店舗のサイト用連携データを、このサイト連携用データの元となる店舗情報に対応する店舗を示す店舗コードと、この店舗を管理する管理店舗の管理店舗コードと、この店舗の店舗情報を掲載する店舗情報掲載サイト（連携用データを生成する際の掲載サイト情報に対応する）を示すサイト識別情報とともに、サイト連携用データ記憶部２０４−６に書き込んで記憶するようにしても良い。
【００２６】
店舗情報掲載サイトＡ１０３ａには、サイトサーバ１０３ａ−１と連携データデータベース１０３ａ−２とが設けられている。
サイトサーバ１０３ａは、店舗情報登録管理センター１０４のデータ処理サーバ２０４−２に一定周期毎にアクセスし、サイト連携用データ記憶部２０４−６から、自身のサイト識別情報に対応するサイト連携用データを、当該サイト識別情報に対応して記憶されているサイト連携用データを店舗コードとともに読み出すことにより取得し、店舗コードとともに取得したサイト連携用データを、連携データデータベース１０３ａ−２に書き込んで記憶させる。
また、サイトサーバ１０３ａ−１は、連携データデータベース１０３ａ−２に記憶されているサイト連携用データの画像を、店舗コードに対応して読み出し、店舗情報掲載サイトＡ１０３ａの掲載形式により、ホームページ上に表示する。
店舗情報掲載サイトＢ１０３ｂには、サイトサーバ１０３ｂ−１と連携データデータベース１０３ｂ−２とが設けられている。サイトサーバ１０３ｂ−１と連携データデータベース１０３ｂ−２との動作については、サイトサーバ１０３ａ−１と連携データデータベース１０３ａ−２と同様のため、説明を省略する。
【００２７】
次に、図１及び図３を用いて本実施形態による情報提供システムの動作を説明する。図３は、本実施形態による情報提供システムの動作例を示すシーケンス図である。
ステップＳ１：
管理店舗２００ａの店舗担当者は、所定の書式に従い、店舗情報を掲載させたい店舗情報掲載サイトのサイト名と、店舗２０１ａ及び店舗２０２ａの店舗基本情報と、アカウント情報とを、管理店舗端末２００ａ−１を用い、本社１０２のデータ管理サーバ１０２ａ−１に対して、メール等により送信する。
【００２８】
メールを受信すると、本社１０２の登録担当者は、データ管理サーバ１０２−１を用い、サイト名に対応するサイト識別情報と、店舗基本情報と、管理店舗の管理店舗コードと、店舗の店舗コードとを、店舗情報登録管理センター１０４に対して送信する。ここで、登録担当者は、管理店舗２００ａに対して管理店舗コードを付与し、店舗２０１ａ及び店舗２０２ａの各々に対して店舗コードを付与する。
【００２９】
そして、データ処理サーバ２０４−２は、ＩＤ／パスワードデーターベース２０４−３の管理店舗テーブルに対し、管理店舗コードとともに、当該管理店舗コードの示す管理店舗２００ａのＩＤ及びパスワードを書き込んで記憶させ、アカウント情報の登録処理を行う。
また、データ処理サーバ２０４−２は、店舗情報データベース２０４−４の店舗情報テーブルに対し、店舗コードとともに、管理店舗コード、店舗基本情報、サイト識別情報とを書き込んで記憶させ、店舗基本情報の登録処理を行う。
【００３０】
ステップＳ２：
店舗情報登録管理センター１０４に対するアカウント情報及び店舗基本情報の登録が終了すると、登録した管理店舗２００ａの店舗担当者は、店舗情報データベース２０４−４に記憶されている管理店舗２００ａの管理店舗識別情報に対応付けて記憶されている店舗基本情報の編集を行い、店舗情報の作成を行うことが可能となる。
そして、管理店舗２００ａの店舗担当者は、管理店舗端末２００ａ−１から店舗情報登録管理センター１０４にアクセスする。
【００３１】
これにより、管理店舗端末２００ａ−１が店舗情報登録管理サーバ２０４−１に接続され、店舗情報登録管理サーバ２０４−１は、管理店舗端末２００ａ−１に対してログイン用の画面を送信する。
管理店舗端末２００ａ−１の表示画面にログイン用画面が表示されると、店舗担当者は、管理店舗端末２００ａ−１に表示されるログイン用画面の入力欄に対し、アカウント情報を入力する。
このとき、管理店舗端末２００ａ−１は、ログイン画面の入力欄に入力されたアカウント情報を、店舗情報登録管理サーバ２０４−１に対して送信する。
【００３２】
店舗情報登録管理サーバ２０４−１は、管理店舗端末２００ａ−１から供給されるアカウント情報がＩＤ／パスワードデータベース２０４−３の管理店舗テーブルに登録されているか否かの判定を行う。
ここで、店舗情報登録管理サーバ２０４−１は、供給されたアカウント情報と一致するアカウント情報が、管理店舗テーブルにおいて検出されると、この管理店舗コードに対応する店舗の店舗情報の編集を行う編集画面を、管理店舗端末２００ａ−１に対して送信する。
【００３３】
そして、店舗担当者は、管理店舗端末２００ａ−１に表示される編集画面から、店舗２０１ａ及び２０２ａの店舗基本情報の編集処理を行う。
ここで、店舗情報登録管理サーバ２０４−１は、管理店舗端末２００ａ−１の編集画面で編集された店舗基本情報を店舗情報として、対応する店舗コードの店舗情報として、店舗情報データベース２０４−４の店舗情報テーブルに書き込む。
【００３４】
ステップＳ３：
次に、データ処理サーバ２０４−２は、一定周期毎（例えば、１日毎あるいは１時間毎）に、店舗情報データベース２０４−４の店舗情報から、各店舗情報掲載サイトのホームページに表示するサイト連携用データの生成を行う。
このとき、データ処理サーバ２０４−２は、各店舗の店舗情報からサイト連携用データを作成する際、店舗情報に対応しているサイト識別情報を、店舗情報テーブルから抽出する。
【００３５】
そして、データ処理サーバ２０４−２は、店舗情報データベース２０４−４に記憶されているサイト情報テーブルから、抽出したサイト識別情報に対応して記憶されている掲載サイト情報を読み出す。
掲載サイト情報を読み出した後、データ処理サーバ２０４−２は、掲載サイト情報に記載された掲載形式に対応した、この店舗情報掲載サイトに表示されるデータを、店舗情報テーブルの店舗情報から抽出し、サイト連携用データを生成する。
【００３６】
ステップＳ４：
次に、例えば、サイトサーバ１０３ａ−１は、一定周期毎（例えば、１日毎あるいは１時間毎）に店舗情報登録管理センター１０４にアクセスし、自身のサイト識別情報に対応するサイト連携用データを、サイト連携用データ記憶部２０４−６から読み出す（ＨＴＴＰ（HyperText Transfer Protocol）などの通信プロトコルを用いた通信により取得する）。
【００３７】
これにより、サイトサーバ１０３ａは、自身が設けられている店舗情報登録サイトＡ１０３ａのホームページに表示する店舗のサイト連携用データを取得し、店舗コード及び管理店舗コードに対応させて、連携データデータベース１０３ａ−２に書き込んで記憶させる。
【００３８】
ステップＳ５：
サイトサーバ１０３ａ−１は、例えば、連携データデータベース１０３ａ−２に記憶されているサイト連携用データを読み出し、店舗コードに対応して読み出し、ホームページ上の地図において、店舗の住所に対応する位置に、アイコンの画像として表示する。
【００３９】
ステップＳ６：
次に、ユーザ１０５ａがユーザ端末１０５ａ−１により店舗情報掲載サイトＡ１０３ａをアクセスすることにより、サイトサーバ１０３ａ−１は、アクセスしたユーザ１０５ａのユーザ端末１０５ａ−１に対してホームページの画像のデータを送信する。
そして、ユーザ１０５ａがユーザ端末１０５ａ−１の表示画面に表示されている、店舗情報掲載サイトＡ１０３ａのホームページの地図上における店舗２０１ａのアイコンをクリックする。ユーザ端末１０５ａ−１は、表示画面のアイコンがクリックされたことを検出すると、このアイコンに対応する店舗の店舗コードをサイトサーバ１０３ａ−１に対して送信する。
【００４０】
これにより、サイトサーバ１０３ａ−１は、このクリックされたアイコンの店舗を示す店舗コードに対応したサイト連携用データを、連携用データデータベース１０３ａ−２から読み出す。
そして、サイトサーバ１０３ａ−１は、連携用データデータベース１０３ａ−２から読み出したサイト連携用データの図４に示す画像（ウェブページ）を、ユーザ端末１０５ａ−１に対して送信する。
ここで、図４は、サイト連携用データを店舗情報掲載サイトＡ１０３ａに掲載した場合の表示画面を示す図である。
サイト連携用データの表示画像を受信すると、ユーザ端末１０５ａ−１は、受信した表示画像を表示画面に表示する。
【００４１】
また、図５は、サイト連携用データを店舗情報掲載サイトＢ１０３ｂに掲載した場合の表示画面を示す図である。
図４及び図５に示すように、店舗情報掲載サイト毎に表示画像が異なる。例えば、店舗情報掲載サイトＡ１０３ａはユーザ端末としてパーソナルコンピュータからのアクセスに対応して構成されたものであり、店舗情報掲載サイトＢ１０３ｂはユーザ端末として携帯端末からのアクセスに対応して構成されたものである。
【００４２】
上述したように、本実施形態は、管理店舗端末２００ａ−１や２００ｂ−１などから登録された店舗情報を、複数の店舗情報掲載サイト、例えば店舗情報掲載サイトＡ１０３ａや店舗情報掲載サイトＢ１０３ｂの２つに対し、それぞれの情報掲載サイトの掲載形式に対応するように、データ処理サーバが登録された店舗情報から、掲載形式に対応する情報を抽出して、情報掲載サイト毎のサイト連携用データを生成し、対応する情報掲載サイトに供給している。
このため、本実施形態によれば、複数の店舗情報掲載サイトに対して一括して店舗情報を店舗情報登録管理センター１０４に対し登録し、店舗情報登録管理センター１０４が複数の店舗情報掲載サイトに対して、登録された店舗情報をサイト連携用データとして提供することが可能となり、従来のように、管理店舗の担当者が複数の店舗情報掲載サイトの各々を個別にアクセスし、それぞれの店舗情報掲載サイトに対して別々に、店舗情報の登録処理及び変更処理を行う場合に比較し、店舗担当者の手間を低減することが可能となる。
【００４３】
＜第２の実施形態＞  
以下、図面を参照して、本発明の実施の形態について説明する。図６は、この発明の第２の実施形態による情報提供システムの構成例を示す概略ブロック図である。
この図６において、情報提供システムは、図１の第１の実施形態と同様に、店舗グループ１０１ａ、１０１ｂ、…と、本社１０２と、店舗情報掲載サイトＡ１０３ａ、店舗情報掲載サイトＢ１０３ｂ、店舗情報登録管理センター１０４と、ユーザ１０５ａ、１０５ｂ、…との各々に設置されている装置により構成されている。図６において、図１と同様の構成については同一の符号を付してある。以下、第１の実施形態と異なる構成及び動作について説明する。
第２の実施形態の第１の実施形態と異なる構成は、店舗情報登録管理センター１０４に設置されている情報提供装置２０４がクーポン情報データベース２０４−５を有している点である。
【００４４】
次に、図７は、ＩＤ／パスワードデータベース２０４−３、店舗情報データベース２０４−４及びクーポン情報データベース２０４−５の各々に記憶されているテーブルの構成を示す図である。図７（ａ）のＩＤ／パスワードデータベース２０４−３の管理店舗テーブルは図２（ａ）の構成と同様であり、図７（ｂ）の店舗情報データベース２０４−４の店舗情報テーブルは図２（ｂ）の構成と同様である。
図７（ｃ）は、管理店舗、例えば管理店舗２００ａの店舗担当者が、店舗情報登録管理センター１０４に対して登録したクーポン情報と、このクーポン情報を登録した店舗の店舗コードと、クーポン情報に示されるクーポンの有効期限（使用できる期間を示す日時データ）と、クーポンの内容を示すデータであるクーポン情報とが、店舗情報登録管理サーバ２０４−１により付与されたクーポンコードに対応してクーポン情報テーブル記憶されている。
【００４５】
店舗情報登録管理サーバ２０４−１は、例えば、管理店舗２００ａの管理担当が登録したクーポン情報を、クーポン情報データベース２０４−５のクーポン情報テーブルに、付与したクーポンコードと、店舗コードと、有効期限とともに、クーポン情報の記憶単位として書き込んで記憶させる。
また、店舗情報登録管理サーバ２０４−１は、有効期限を定期的に確認し、自身内部のカレンダーと有効期限の日付とを比較し、現在の日時が有効期限の範囲を超えている（過ぎている）ことを検出すると、このクーポン情報を記憶単位の他のデータとともに削除する。
【００４６】
データ処理サーバ２０４−２は、第１の実施形態と同様に、店舗情報データベース２０４−４に記憶されている店舗情報から、各店舗情報掲載サイトの掲載形式に合わせて、サイト連携用データの生成を、例えばＣＳＶ形式のファイルとして生成する。
このとき、データ処理サーバ２０４−２は、店舗情報からサイト連携用データを生成する際、クーポン情報データベース２０４−５のクーポン情報テーブルにおいて、店舗情報の店舗コードと同一の店舗コードの検索を行う。
そして、データ処理サーバ２０４−２は、クーポン情報データベース２０４−５のクーポン情報テーブルにおいて、店舗情報の店舗コードと同一の店舗コードを検出すると、対応して記憶されている有効期限を読み出す。
【００４７】
また、データ処理サーバ２０４−２は、自身内部のカレンダーと読み出した有効期限の日付とを比較し、現在の日時が有効期限の範囲に有る場合、店舗コードからクーポン用ＵＲＬを生成し、クーポン情報があるとするクーポン情報有データとともに、サイト連携用データに含める。このクーポン用ＵＲＬは、いずれの店舗のクーポン情報をアクセスするかを指定するために用いられる。
【００４８】
データ処理サーバ２０４−２は、ユーザのユーザ端末からクーポン用ＵＲＬによりアクセスされた際、当該クーポン用ＵＲＬから店舗コードを抽出し、この店舗コードと同一の店舗コードを、クーポン情報データベース２０４−５のクーポン情報テーブルから検索する。データ処理サーバ２０４−２は、クーポン情報データベース２０４−５から、抽出した店舗コードと同一の店舗コードを検出すると、この店舗コードに対応して記憶されているクーポン情報を読み出し、クーポン情報の画面を生成する。例えば、データ処理サーバ２０４−２は、クーポン情報データベース２０４−５から読み出したＨＴＭＬ（ＨｙｐｅｒＴｅｘｔ  Ｍａｒｋｕｐ  Ｌａｎｇｕａｇｅ）形式のクーポン情報から、ＨＴＭＬ形式のウェブページを生成し、アクセスしたユーザ端末（１０５ａ−１あるいは１０５ｂ−１）に送信する。ここで、データ処理サーバ２０４−２は、クーポン用ＵＲＬがアクセスされた際、このクーポン用ＵＲＬに付加された店舗情報掲載サイトのサイト識別情報により、いずれの店舗情報掲載サイトからユーザがクーポン用ＵＲＬから取得したかを検出し、店舗情報掲載サイト毎にアクセス回数をカウントしている。（例えば、ＨＴＭＬ形式のウェブページ）
【００４９】
また、データ処理サーバ２０４−２は、 Apache（登録商標）等のウェブ（Ｗｅｂ）サーバソフトが搭載されて稼動するウェブサーバであり、上述したように、ユーザ端末からのクーポン用ＵＲＬによりアクセスされる毎に、すなわちクーポン用ＵＲＬが付加されたリクエストデータを受信する毎に、動的にウェブページ（動的ウェブページ）を生成することで、ユーザ端末からのアクセスの履歴を示すアクセスログを、ユーザ端末からのアクセス毎に生成する。さらに、このアクセスログには、店舗情報掲載サイト毎のアクセス回数が記録されている。
この本実施形態の構成によれば、店舗担当者が各店舗に対するアクセスログを収集して解析することにより、店舗に対してクーポンを取得しようとしてアクセスした時間帯などの情報収集を可能とする。
また、この本実施形態の構成によれば、クーポン情報のウェブページを予め作成しておく場合、すなわち、静的ウェブページとして準備している場合に比較し、動的ウェブページを用いることにより常に最新のクーポン情報をユーザに提供することができる。
【００５０】
次に、図６及び図８を用いて本実施形態による情報提供システムの動作を説明する。図８は、本実施形態による情報提供システムの動作例を示すシーケンス図である。
ステップＳ１１：
管理店舗２００ａの店舗担当者は、所定の書式に従い、店舗情報を掲載させたい店舗情報掲載サイトのサイト名と、店舗２０１ａ及び店舗２０２ａの店舗基本情報と、アカウント情報とを、管理店舗端末２００ａ−１を用い、本社１０２のデータ管理サーバ１０２−１に対して、メール等により送信する。
【００５１】
メールを受信すると、本社１０２の登録担当者は、データ管理サーバ１０２−１を用い、サイト名に対応するサイト識別情報と、店舗基本情報と、管理店舗の管理店舗コードと、店舗の店舗コードとを、店舗情報登録管理センター１０４に対して送信する。ここで、登録担当者は、管理店舗２００ａに対して管理店舗コードを付与し、店舗２０１ａ及び店舗２０２ａの各々に対して店舗コードを付与する。
【００５２】
そして、データ処理サーバ２０４−２は、ＩＤ／パスワードデーターベース２０４−３の管理店舗テーブルに対し、管理店舗コードとともに、当該管理店舗コードの示す管理店舗２００ａのＩＤ及びパスワードを書き込んで記憶させ、アカウント情報の登録処理を行う。
また、データ処理サーバ２０４−２は、店舗情報データベース２０４−４の店舗情報テーブルに対し、店舗コードとともに、管理店舗コード、店舗基本情報、サイト識別情報とを書き込んで記憶させ、店舗基本情報の登録処理を行う。
【００５３】
ステップＳ１２：
店舗情報登録管理センター１０４に対するアカウント情報及び店舗基本情報の登録が終了すると、登録した管理店舗２００ａの店舗担当者は、店舗情報データベース２０４−４に記憶されている管理店舗２００ａの管理店舗識別情報に対応付けて記憶されている店舗基本情報の編集を行い、店舗情報の作成を行うことが可能となる。
そして、店舗情報を編集する際、管理店舗２００ａの店舗担当者は、管理店舗端末２００ａ−１から店舗情報登録管理センター１０４にアクセスする。
【００５４】
これにより、管理店舗端末２００ａ−１が店舗情報登録管理サーバ２０４−１に接続され、店舗情報登録管理サーバ２０４−１は、管理店舗端末２００ａ−１に対してログイン用の画面を送信する。
管理店舗端末２００ａ−１の表示画面にログイン用画面が表示されると、店舗担当者は、管理店舗端末２００ａ−１に表示されるログイン用画面の入力欄に対し、アカウント情報を入力する。
このとき、管理店舗端末２００ａ−１は、ログイン画面の入力欄に入力されたアカウント情報を、店舗情報登録管理サーバ２０４−１に対して送信する。
【００５５】
店舗情報登録管理サーバ２０４−１は、管理店舗端末２００ａ−１から供給されるアカウント情報がＩＤ／パスワードデータベース２０４−３の管理店舗テーブルに登録されているか否かの判定を行う。
ここで、店舗情報登録管理サーバ２０４−１は、供給されたアカウント情報と一致するアカウント情報が、管理店舗テーブルにおいて検出されると、店舗情報の編集を行うか、あるいはクーポン情報の登録を行うかの設定を行う設定画面を、管理店舗端末２００ａ−１に対して送信する。
【００５６】
そして、店舗担当者は、管理店舗端末２００ａ−１の表示画面に表示された設定画面から、店舗情報の編集を行う欄をクリックする。
これにより、管理店舗端末２００ａ−１は、設定画面の店舗の編集を行う欄がクリックされたことを検出し、店舗情報の編集を行うことを示す情報を、店舗情報登録管理サーバ２０４−１に対して送信する。
店舗情報の編集を行うことを示す情報を受信すると、店舗情報登録管理サーバ２０４−１は、この管理店舗端末２００ａ−１の設置されている管理店舗２００ａの管理店舗コードに対応する店舗の店舗情報の編集を行う編集画面を、管理店舗端末２００ａ−１に対して送信する。
【００５７】
そして、店舗担当者は、管理店舗端末２００ａ−１に表示される編集画面から、店舗２０１ａ及び２０２ａの店舗基本情報の編集処理を行う。
ここで、店舗情報登録管理サーバ２００４−１は、管理店舗端末２００ａ−１の編集画面で編集された店舗基本情報を店舗情報として、対応する店舗コードの店舗情報として、店舗情報データベース２０４−４の店舗情報テーブルに書き込む。
【００５８】
ステップＳ１３：
クーポン情報を登録する際、管理店舗２００ａの店舗担当者は、管理店舗端末２００ａ−１から店舗情報登録管理センター１０４にアクセスする。
これにより、管理店舗端末２００ａ−１が店舗情報登録管理サーバ２０４−１に接続され、店舗情報登録管理サーバ２０４−１は、管理店舗端末２００ａ−１に対してログイン用の画面を送信する。
管理店舗端末２００ａ−１の表示画面にログイン用画面が表示されると、店舗担当者は、管理店舗端末２００ａ−１に表示されるログイン用画面の入力欄に対し、アカウント情報を入力する。
このとき、管理店舗端末２００ａ−１は、ログイン画面の入力欄に入力されたアカウント情報を、店舗情報登録管理サーバ２０４−１に対して送信する。
【００５９】
店舗情報登録管理サーバ２０４−２は、管理店舗端末２００ａ−１から供給されるアカウント情報がＩＤ／パスワードデータベース２０４−３の管理店舗テーブルに登録されているか否かの判定を行う。
ここで、店舗情報登録管理サーバ２０４−１は、供給されたアカウント情報と一致するアカウント情報が、管理店舗テーブルにおいて検出されると、店舗情報の編集を行うか、あるいはクーポン情報の登録を行うかの設定を行う設定画面を、管理店舗端末２００ａ−１に対して送信する。
【００６０】
そして、店舗担当者は、管理店舗端末２００ａ−１の表示画面に表示された設定画面から、クーポン情報の登録を行う欄をクリックする。
これにより、管理店舗端末２００ａ−１は、設定画面のクーポン情報の登録を行う欄がクリックされたことを検出し、クーポン情報の登録を行うことを示す情報を、店舗管理登録サーバ２０４−１に対して送信する。
クーポン情報の登録を行うことを示す情報を受信すると、店舗情報登録管理サーバ２０４−１は、この管理店舗端末２００ａ−１の設置されている管理店舗２００ａの管理店舗コードに対応する店舗のクーポン情報の登録を行う登録画面を、管理店舗端末２００ａ−１に対して送信する。
【００６１】
そして、店舗担当者は、管理店舗端末２００ａ−１に表示される登録画面から、店舗２０１ａ及び２０２ａのクーポン情報の登録処理を、このクーポンの有効期限の設定を含めて行う。
ここで、店舗情報登録管理サーバ２０４−１は、管理店舗端末２００ａ−１の登録画面で登録されたクーポン情報、クーポンの有効期限と、クーポンのサービスを提供する店舗の店舗コードとに、クーポンコードを付与してクーポン情報データベース２０４−５のクーポン情報テーブルに書き込んで記憶させる。
このクーポン登録の処理は、店舗のクーポンの提供に対応して、店舗担当者により随時行われる。
【００６２】
ステップＳ１４：
次に、データ処理サーバ２０４−２は、一定周期毎（例えば、１日毎あるいは１時間毎）に、店舗情報データベース２０４−４の店舗情報から、各店舗情報掲載サイトのホームページに表示するサイト連携用データの生成を行う。
このとき、データ処理サーバ２０４−２は、各店舗の店舗情報からサイト連携用データを作成する際、店舗情報に対応しているサイト識別情報を、店舗情報テーブルから抽出する。
【００６３】
そして、データ処理サーバ２０４−２は、店舗情報データベース２０４−４に記憶されているサイト情報テーブルから、抽出したサイト識別情報に対応して記憶されている掲載サイト情報を読み出す。
掲載サイト情報を読み出した後、データ処理サーバ２０４−２は、掲載サイト情報に記載された掲載形式に対応した、この店舗情報掲載サイトに表示されるデータを、店舗情報テーブルの店舗情報から抽出し、サイト連携用データを生成する。
【００６４】
また、データ処理サーバ２０４−２は、クーポン情報データベース２０４−５において、サイト連携用データを生成した店舗の店舗コードと一致する店舗コードを検索する。
そして、データ処理サーバ２０４−２は、クーポン情報データベース２０４−５において、サイト連携用データを生成した店舗の店舗コードと一致する店舗コードが検出されると、この店舗コードに対応して記憶されている有効期限を、クーポン情報データベース２０４−５から読み出す。
【００６５】
次に、データ処理サーバ２０４−２は、自身のカレンダーにおける現在の日時が、読み出した有効期限内に含まれているか否かを判定する。
このとき、データ処理サーバ２０４−２は、現在の日時が読み出した有効期限内に有る場合、この店舗コードからクーポン用ＵＲＬを生成し、サイト連携用データに対し、クーポン情報があることを示す情報とともに書き込む。また、このクーポン用ＵＲＬには、店舗コード及びサイト識別情報が含まれている。
【００６６】
ステップＳ１５：
次に、例えば、サイトサーバ１０３ａ−１は、一定周期毎（例えば、１日毎あるいは１時間毎）に店舗情報登録管理センター１０４にアクセスし、自身のサイト識別情報に対応するサイト連携用データを、サイト連携用データ記憶部２０４−６から読み出す。
【００６７】
これにより、サイトサーバ１０３ａ−１は、自身が設けられている店舗情報登録サイトＡ１０３ａのホームページに表示する店舗のサイト連携用データを取得し、店舗コード及び管理店舗コードに対応させて、連携データデータベース１０３ａ−２に書き込んで記憶させる。
【００６８】
ステップＳ１６：
サイトサーバ１０３ａ−１は、例えば、連携データデータベース１０３ａ−２に記憶されているサイト連携用データを、店舗コードに対応して読み出し、ホームページ上の地図において、店舗の住所に対応する位置に、アイコンの画像として表示する。
【００６９】
ステップＳ１７：
次に、ユーザ１０５ａがユーザ端末１０５ａ−１により店舗情報掲載サイトＡ１０３ａをアクセスすることにより、サイトサーバ１０３ａ−１は、アクセスしたユーザ１０５ａのユーザ端末１０５ａ−１に対してホームページの画像のデータを送信する。
そして、ユーザ１０５ａは、ユーザ端末１０５ａ−１の表示画面に表示されている、店舗情報掲載サイトＡ１０３ａのホームページの地図上における店舗２０１ａのアイコンをクリックする。ユーザ端末１０５ａ−１は、表示画面のアイコンがクリックされたことを検出すると、このアイコンに対応する店舗の店舗コードをサイトサーバ１０３ａ−１に対して送信する。
【００７０】
これにより、サイトサーバ１０３ａ−１は、このクリックされたアイコンの店舗を示す店舗コードに対応したサイト連携用データを、連携用データデータベース１０３ａ−１から読み出す。
そして、サイトサーバ１０３ａ−１は、連携用データベース１０３ａ−１から読み出したサイト連携用データの図９に示す画像データ（ウェブページ）を、ユーザ端末１０５ａ−１に対して送信する。
ここで、図９は、サイト連携用データを店舗情報掲載サイトＡ１０３ａに掲載した場合の表示画面を示す図である。
サイト連携用データの表示画像を受信すると、ユーザ端末１０５ａ−１は、受信した表示画像を表示画面に表示する。
【００７１】
この表示画像には、「クーポンあり」の文字列が表示されており、この文字列が外部リンクのクーポン用ＵＲＬに対応付けられている。
そして、ユーザがユーザ端末１０５ａ−１の表示画面における「クーポンあり」の文字列をクリックすると、ユーザ端末１０５ａ−１からデータ処理サーバ２０４−２に対して、クーポン用ＵＲＬが送信される。
クーポン用ＵＲＬを受信すると、データ処理サーバ２０４−２は、このクーポン用ＵＲＬから店舗コードを抽出する。
【００７２】
次に、データ処理サーバ２０４−２は、この抽出した店舗コードと一致する店舗コードを、クーポン情報データベース２０４−５のクーポン情報テーブルにおいて検索する。
抽出した店舗コードと一致する店舗コードが検出されると、データ処理サーバ２０４−２は、検索された店舗コードに対応して記憶されているクーポン情報を読み出す。
そして、データ処理サーバ２０４−２は、読み出したクーポン情報から、動的ウェブページを生成し、アクセスしたユーザ端末１０５ａ−１に対して送信する。
【００７３】
このとき、データ処理サーバ２０４−２は、クーポン用ＵＲＬからサイト識別情報を抽出し、店舗情報掲載サイト毎に、アクセス回数をカウントする。これにより、ユーザ１０５ａのアクセスが、いずれの店舗情報掲載サイトから取得したクーポン用ＵＲＬにより行われ、かつ店舗情報掲載サイト毎に取得されたクーポン用ＬＳＩが何回用いられたかを、店舗担当者が確認することができる。この結果、各店舗担当者が店舗情報掲載サイトにおけるクーポンの利用状況を解析することができる。
また、データ処理サーバ２０４−２は、動的ウェブページを生成する毎に、ユーザ１０５ａがクーポン用ＵＲＬを取得した店舗情報アクセスログを生成し、上述したアクセス回数をこのアクセスログに記述する。
【００７４】
また、図１０は、サイト連携用データを店舗情報掲載サイトＢ１０３ｂに掲載した場合の表示画面を示す図である。
図９及び図１０に示すように、店舗情報掲載サイト毎に表示画像が異なる。例えば、店舗情報掲載サイトＡ１０３ａはユーザ端末としてパーソナルコンピュータからのアクセスに対応して構成されたものであり、店舗情報掲載サイトＢ１０３ｂはユーザ端末として携帯端末からのアクセスに対応して構成されたものである。
【００７５】
ステップＳ１８：
ユーザ端末１０５ａ−１は、データ処理サーバ２０４−２から送信されたクーポンの動的ウェブページを受信すると、この受信したクーポンの動的ウェブページを、表示画面に表示する。
図１１は、クーポン情報から生成された動的ウェブページであり、ユーザ端末の表示画面に表示されるクーポン画像の一例である。
ユーザ１０５ａは、このクーポン画像を紙に印刷し、例えば、印刷したクーポンを店舗２０１ａの担当者に見せることで、買い物あるいは食事した支払金額の割引などのサービスを、店舗２０１ａから受ける。
また、ユーザ端末１０５ｂ−１が携帯電話等の場合、クーポン画像が表示された表示画面を、店舗２０１ａの担当者に見せ、このクーポンに示されるサービスを受ける。
【００７６】
また、図１及び図６における情報提供装置の機能を実現するためのプログラムをコンピュータ読み取り可能な記録媒体に記録して、この記録媒体に記録されたプログラムをコンピュータシステムに読み込ませ、実行することにより店舗の情報提供やクーポン情報の提供の処理を行ってもよい。なお、ここでいう「コンピュータシステム」とは、ＯＳや周辺機器等のハードウェアを含むものとする。
【００７７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７８】
以上、この発明の実施形態を図面を参照して詳述してきたが、具体的な構成はこの実施形態に限られるものではなく、この発明の要旨を逸脱しない範囲の設計等も含まれる。
【符号の説明】
【００７９】
１０１ａ，１０１ｂ…店舗グループ
１０２…本社
１０２−１…データ管理サーバ
１０３ａ…店舗情報掲載サイトＡ
１０３ｂ…店舗情報掲載サイトＢ
１０３ａ−１，１０３ｂ−１…サイトサーバ
１０３ａ−２，１０３ｂ−２…連携データデータベース
１０４…店舗情報登録管理センター
１０５ａ，１０５ｂ…ユーザ
１０５ａ−１，１０５ｂ−１…ユーザ端末
２００ａ，２００ｂ…管理店舗
２００ａ−１，２００ｂ−１…管理店舗端末
２０１ａ，２０１ｂ，２０２ａ，２０２ｂ，２０３ｂ…店舗
２０１ａ−１，２０１ｂ−１，２０２ａ−１，２０２ｂ−１、２０３ｂ−１…店舗端末
２０４…情報提供装置
２０４−１…店舗情報登録管理サーバ
２０４−２…データ処理サーバ
２０４−３…ＩＤ／パスワードデータベース
２０４−４…店舗情報データベース
２０４−５…クーポン情報データベース
２０４−６…サイト連携用データ記憶部
Ｉ…情報通信網
【図１】
2013088857.tif 000003
【図２】
2013088857.tif 000004
【図３】
2013088857.tif 000005
【図４】
2013088857.tif 000006
【図５】
2013088857.tif 000007
【図６】
2013088857.tif 000008
【図７】
2013088857.tif 000009
【図８】
2013088857.tif 000010
【図９】
2013088857.tif 000011
【図１０】
2013088857.tif 000012
【図１１】
2013088857.tif 000013